(57)【要約】コンピュータプロファイル更新システムは、ユーザのコンピュータ（１０）と通信するよう構成される更新制御コンピュータ（３０）と、ユーザのコンピュータ及び／又はユーザに関連付けられ、メモリ（１５）内に格納されるプロファイルとを含む。更新制御コンピュータは、提案されるプロファイル更新をユーザコンピュータに通信し、提案されたプロファイル更新が受諾される場合は、対応する更新がメモリ内のプロファイルに対し行われるよう構成される。
2004503861.tif 000002
【特許請求の範囲】
【請求項１】
ユーザコンピュータと通信するよう構成される更新制御コンピュータと、
上記ユーザコンピュータ及び／又は上記ユーザと関連付けられ、メモリ内に保持されるプロファイルとを含み、
上記更新制御コンピュータは、上記ユーザコンピュータに、提案されるプロファイル更新を通信するよう構成され、
上記提案されるプロファイル更新が受諾されると、上記メモリ内の上記プロファイルに対し対応する更新が行われるコンピュータプロファイル更新システム。
【請求項２】
上記メモリは上記ユーザコンピュータに接続され、
上記提案されるプロファイル更新が受諾されると、上記ユーザコンピュータは、上記メモリ内の上記プロファイルに対し対応する更新を行うよう構成される請求項１記載のコンピュータプロファイル更新システム。
【請求項３】
上記メモリは、上記ユーザコンピュータと通信するよう構成される遠隔コンピュータに接続され、
上記提案されるプロファイル更新が受諾されると、上記遠隔コンピュータは、上記メモリ内の上記プロファイルに対し対応する更新を行うよう命令される請求項１記載のコンピュータプロファイル更新システム。
【請求項４】
上記メモリは、多数のコンピュータに振り分けられ、
上記提案されるプロファイル更新が受諾されると、上記更新制御コンピュータは、上記多数のコンピュータのうちの１つのコンピュータ又は複数のコンピュータの上記提案されるプロファイル更新が行われるべき上記メモリを決定し、上記メモリに対し更新を適用するか又は命令するよう構成される請求項１記載のコンピュータプロファイル更新システム。
【請求項５】
上記更新制御コンピュータは、上記遠隔コンピュータである請求項３記載のコンピュータプロファイル更新システム。
【請求項６】
上記更新制御コンピュータは、ＷＡＰゲートウェイである請求項１乃至４のうちいずれか一項記載のコンピュータプロファイル更新システム。
【請求項７】
上記ユーザコンピュータは、受信した上記提案されるプロファイル更新の詳細を表示し、上記提案されるプロファイル更新を受諾するようユーザからの入力を受け付けるよう構成される請求項１乃至６のうちいずれか一項記載のコンピュータプロファイル更新システム。
【請求項８】
上記ユーザコンピュータは、上記提案されるプロファイル更新の技術的な詳細を表示しないよう構成される請求項７記載のコンピュータプロファイル更新システム。
【請求項９】
上記ユーザコンピュータは、上記提案されるプロファイル更新の本質及び／又は更新することによる効果を表示するよう構成される請求項７又は８記載のコンピュータプロファイル更新システム。
【請求項１０】
ユーザコンピュータ及び／又はユーザに関連付けられるコンピュータプロファイルを更新する方法であって、
上記ユーザコンピュータ及び／又は上記ユーザに関連付けられ、メモリ内にあるプロファイルを管理する段階と、
上記ユーザコンピュータに提案されるプロファイル更新を通信する段階と、
上記提案されるプロファイル更新が受諾されると、上記メモリ内の上記プロファイルを更新する段階とを含む方法。
【請求項１１】
上記メモリは、遠隔コンピュータに接続され、
上記方法は更に、上記提案されるプロファイル更新が受諾されると、上記遠隔コンピュータが、上記メモリ内の上記プロファイルに対し対応する更新を行うよう命令する段階を含む請求項１０記載の方法。
【請求項１２】
上記メモリは、多数のコンピュータに振り分けられ、
上記方法は更に、上記多数のコンピュータのうちの１つのコンピュータ又は複数のコンピュータの上記提案されるプロファイル更新が行われるべき上記メモリを決定し、上記１つのコンピュータ又は複数のコンピュータに上記提案されるプロファイル更新を行うよう命令する段階を含む請求項１０記載の方法。
【請求項１３】
上記提案されるプロファイル更新の詳細を、上記ユーザコンピュータ上において上記ユーザに表示し、上記提案されるプロファイル更新の受諾又は拒否に関する上記ユーザコンピュータへの入力を受け付ける段階を更に含む請求項１０乃至１２のうちいずれか一項記載の方法。
【請求項１４】
上記提案されるプロファイル更新の技術的な詳細を表示しない段階を更に含む請求項１３又は１４記載の方法。
【請求項１５】
上記提案されるプロファイル更新の本質及び／又は更新することによる効果を、上記ユーザコンピュータ上において上記ユーザに表示する段階を更に含む請求項１３又は１４記載の方法。
【請求項１６】
汎用コンピュータ及び／又はユーザに関連付けられるコンピュータプロファイルを更新する上記汎用コンピュータ用の命令からなるコンピュータプログラムが格納されるコンピュータ読取り可能な記憶媒体であって、
上記汎用コンピュータが、上記汎用コンピュータ及び／又は上記ユーザに関連付けられ、メモリ内にある上記プロファイルを管理することを可能にする手段と、
上記汎用コンピュータが、遠隔コンピュータから提案されるプロファイル更新を受信することを可能にする手段と、
上記提案されるプロファイル更新が受諾されると、上記汎用コンピュータが上記メモリ内の上記プロファイルを更新することを可能にする手段とを組合わせて含む媒体。
【請求項１７】
上記メモリは遠隔コンピュータに接続され、
上記コンピュータプログラムは更に、上記提案されるプロファイル更新が受諾されると、上記メモリ内の上記プロファイルに対し対応する更新を行うよう上記汎用コンピュータが上記遠隔コンピュータに命令することを可能にする手段を更に含む請求項１６記載のプログラム。
【請求項１８】
上記メモリは多数の遠隔コンピュータに振り分けられ、
上記プログラムは更に、上記汎用コンピュータが、上記提案されるプロファイル更新が行われるべき上記多数の遠隔コンピュータのうちの１つの遠隔コンピュータ又は複数の遠隔コンピュータの上記メモリを決定する手段と、
上記汎用コンピュータが、上記１つの遠隔コンピュータ又は複数の遠隔コンピュータに上記提案されるプロファイル更新を行うよう命令することを可能にする手段とを含む請求項１６記載のプログラム。
【請求項１９】
上記汎用コンピュータが、上記提案されるプロファイル更新の詳細を上記ユーザに対し表示することを可能にする手段と、
上記汎用コンピュータが、上記提案されるプロファイル更新の受諾又は拒否に関する入力を受け付けることを可能にする手段と更に含む請求項１６乃至１８のうちいずれか一項記載のプログラム。
【請求項２０】
上記汎用コンピュータが、上記提案されるプロファイル更新の技術的な詳細を決定することを可能にする手段と、
上記汎用コンピュータが、上記決められた技術的な詳細を表示することを阻止することを可能にする手段とを更に含む請求項１９記載のプログラム。
【請求項２１】
上記汎用コンピュータが、上記提案されるプロファイル更新の本質及び／又は効果に関するデータを上記ユーザに対し表示することを可能にする手段を更に含む請求項１９又は２０記載のプログラム。
【請求項２２】
機械によって読取り可能であり、請求項１０乃至１５のうちいずれか一項記載の方法を実行する命令からなるプログラムを符号化するプログラム記憶装置。
【請求項２３】
コンピュータ上で実行されると、請求項１０乃至１５のうちのいずれか一項記載の方法の全ての段階を行うコンピュータプログラムコード手段を含むコンピュータプログラム。
【請求項２４】
コンピュータ読取り可能な媒体に含まれる請求項２３記載のコンピュータプログラム。
【発明の詳細な説明】
【０００１】
本発明は、コンピュータ装置のプロファイルを更新することを可能にするシステムに関する。より詳細には、本発明は、モバイル電話機といった携帯可能なコンピュータ装置のユーザプロファイルを更新するのに特に好適である。
【０００２】
近年、ますます、コンピュータ及びコンピュータに基づくサービスは、ユーザに関する情報を記憶するようになってきている。ホームコンピュータは、ホームコンピュータの所有者であるユーザの個人情報、ハードウェア及びそれに関連する設定に関する情報、インストールされたソフトウェア及びそれに関連する設定並びに好みに関する情報、及び、ユーザによって選択されたユーザインタフェース設定に関する情報を記憶することが可能である。このような情報は、ユーザ及び／又はコンピュータに関連付けられるプロファイルとして保持され、ユーザ及びコンピュータが、関連があり、適当に書式設定されている情報を受信し、且つ、サービスにアクセスすることが可能であるよう管理される。このようなパーソナライゼーションを可能にするには、情報又はサービスプロバイダコンピュータは、ユーザ及びユーザのコンピュータについて知っている必要がある。ユーザが、サービスプロバイダから情報又はサービスを要求する際、プロファイルの一部が適当なサーバに送信され、サーバはその送信されたデータを解釈し、適当なレスポンスをユーザに対し形成する。Ｗ３Ｃ（Ｗｏｒｌｄ Ｗｉｄｅ Ｗｅｂ Ｃｏｎｓｏｒｔｉｕｍ）は、ＣＣ／ＰＰ（ｃｏｍｐｏｓｉｔｅ ｃａｐａｂｉｌｉｔｙ／ｐｒｅｆｅｒｅｎｃｅ ｐｒｏｆｉｌｅｓ）という文書を発表した。これは、コンテントネゴシエーションのためのユーザ側のフレームワークであり、上述したようなシステムを詳述する。
【０００３】
急成長している１つの領域は、オンラインサービスへのモバイルアクセスである。既に、オンライン情報にアクセスするために使用可能な携帯情報端末、モバイル電話機といった装置は市販されている。ＷＡＰフォーラムは、現行の無線通信用のインターネット規格に基づき、開かれた、グローバルなワイヤレス・プロトコル仕様を開発且つ発表し、この仕様は、上述したようなモバイル装置を有する移動中のユーザが、インタラクティブな情報サービス及びアプリケーションに容易にアクセスすることが可能にされる。しかし、モバイル装置の費用と重量を低く抑えるために、現在では、プロセッサ及びメモリケーパビリティは制限され、小さい表示スクリーンであり、非常に限定された速度においてのみ通信可能である。モバイル装置の各種類は、そのスクリーン寸法、メモリ及び処理ケーパビリティにおいて多様に異なるので、プロファイルは非常に重要である。というのは、プロファイルによって、ＷＡＰに基づいたＷｅｂサイトといったインタラクティブサービスがそれらの出力を適応させ（例えば、出力ディスプレイの複雑さを変更するか、又は、出力ディスプレイの寸法を変更する）、当該モバイル装置により好適であるようにすることが可能となるからである。Ｗｅｂアクセスのパフォーマンス及びモバイル装置の動作を最適化するためには、プロファイルは、モバイル装置によって支援される必要はない。モバイル装置は、そのメモリ及び記憶装置の容量は非常に制限されるので、モバイル装置のプロファイルは、装置上でローカルに記憶される代わりに中央においてプロファイルデータベースに記憶されることが可能であり、要求される時に、ＷＡＰゲートウェイを経由してコンテンツサーバに供給されることが可能である。しかし、これはＷＡＰゲートウェイに負担をかけ、又、この筋書きでは、モバイル装置は、ユーザがモバイル装置の構成を変更する度に、ＷＡＰゲートウェイにアクセスしなければならないことになる。このことに関する最も可能性の高い結果は、プロファイルはＷＡＰゲートウェイ、モバイル装置、及び、可能ならば他のサイトを含む多数のサイトに振り分けられることである。
【０００４】
しかし、ユーザは、当然、自分のプロファイルに対し完全な制御権を保持することを希望するが、全てのプロファイルの内容に関し、特に、より技術的な内容に関し、特に知識をもっているわけではない。更に、ユーザは、プロファイル要素を更新する時間も能力もない場合もある。プロファイルが多数のサイトに振り分けられる場合、正しい部分が適当に更新されるよう中央において管理されなければならない。
【０００５】
本発明の第１の面では、ユーザコンピュータと通信するよう構成される更新制御コンピュータと、ユーザコンピュータ及び／又はユーザと関連付けられ、メモリ内で保持されるプロファイルとを含むコンピュータプロファイル更新システムが提供され、更新制御コンピュータは、提案されるプロファイル更新をユーザコンピュータに通信するよう構成され、提案されるプロファイル更新が受諾されると、メモリ内のプロファイルに対し対応する更新が行われる。
【０００６】
本発明のシステムでは、ユーザは依然としてプロファイルの制御権を有するが、プロファイルの更新が要求される際は、プロファイルの制御は、プロファイルの更新を通して促され且つ案内される。このようにして、ユーザは技術的な又は詳細な知識を必要とせず、また、いつ更新が要求されるかについても心配する必要がない。更新の技術的な詳細は選択的に省略され、ユーザには、更新することによって得られる効果のみが通知される。このようにして、専門知識のないユーザも、更新することによる影響に関し完全に認識し且つ制御することが可能となる。
【０００７】
本発明の実施例を、参照図面を参照しながら説明する。
【０００８】
図１は、本発明の第１の面によるプロファイル更新システムが組込まれるコンピュータシステムを示す概略図である。ユーザのコンピュータ１０はインターネット２０に接続される。コンピュータ１０は、ハードディスク記憶装置１５を含み、そこに、ユーザ及びユーザのコンピュータ１０に関するプロファイルが記憶される。ユーザが新しいソフトウェア及びハードウェアをインストールするたびに、又は、ユーザインタフェースを変更するたびに、プロファイルはコンピュータによって更新される。
【０００９】
プロファイルサーバ３０の形式である更新制御コンピュータもインターネット２０に接続される。新しいサービスがオンラインとなるか、又は、ユーザの状況が変更すると、プロファイルは更新されなければならない。プロファイルサーバ３０は、プロファイル内の要素に対し提案される幾つかの提案変更から構成されるプロファイル更新を作成する。プロファイル更新は、インターネット２０を介しユーザのコンピュータ１０に通信される。プロファイル更新を受信すると、ユーザは、プロファイルを更新すること、及び、変更することが提案されていることが通知される。ユーザに通知される提案変更は、選択的に技術的な詳細が削除され、変更の本質と変更による効果だけが説明されてもよい。ユーザがその変更を受諾すると、その変更は、例えば、記憶装置１５といったメモリ内の適当なプロファイルに与えられる。ユーザが受諾しない場合は、プロファイルの更新は放棄される。
【００１０】
図２は、本発明の別の面によるプロファイル更新システムが組込まれるモバイル通信システムを示す概略図である。
【００１１】
このモバイル通信システムは、モバイル装置１００の形式であるユーザコンピュータを含み、ユーザコンピュータは、無線ネットワーク１２０（例えば、デジタルセルラ・ネットワーク）と通信する。更新制御コンピュータとして機能するＷＡＰゲートウェイ１３０も無線ネットワーク１２０と通信し、更に、プロファイルデータベース１４０の形式であるメモリと通信する。ＷＡＰゲートウェイ１３０は更にインターネット１５０に接続される。コンテンツサーバ１６０もインターネット１５０に接続される。
【００１２】
モバイル装置１００がインターネット１５０にアクセスするよう要求されると、モバイル装置１００は、無線ネットワーク１２０を介しＷＡＰゲートウェイと通信する。ＷＡＰゲートウェイは、モバイル装置１００とインターネット１５０との間の中継手段として機能し、これは、モバイル装置１００からのＷＡＰインターネットアクセス要求を受け取り、要求を構文解析し、要求を、プロファイルからの必要なデータとともに適当なコンテンツサーバ１６０に提出することによって機能する。コンテンツサーバ１６０は、要求を処理し、プロファイルからのデータに依存して要求の書式設定を行い、返答を作成する。ＷＡＰゲートウェイ１３０は、コンテンツサーバ１６０からの返答を受信すると、返答を処理し、返答はモバイル装置１００に転送されて表示される。
【００１３】
ユーザが加入しているネットワークの外側にユーザのモバイル装置を持ち出し、それにより、セル・ブロードキャストを受信できなくなるといったような場合に、プロファイルを更新する必要がある。この場合、プロファイルは更新され、それによりセル・ブロードキャストが抑制されるべきである。プロファイルは更に、モバイル装置により多くのメモリが付加された場合、新しいオペレーティングシステムがロードされた場合、ユーザの詳細が変更された場合、又は、現在のプロファイルにおけるよりも多くの情報を必要とする新しいサービスが利用可能になった場合に更新される必要がある。プロファイルは、コンテンツサーバ又は他の外部の媒体によって更新されてもよい。例えば、コンテンツサーバはスポーツサーバであり、ユーザが現在、通常は週に１回送られるサッカースポーツ情報に加入している例において、例えば、ヨーロッパ大会とかワールドカップといった大きなトーナメントが開催される際には、スポーツサーバは、情報が毎日送られるようサーバを更新するよう要求する。上述したような各状況において、ＷＡＰゲートウェイ１３０は、ユーザのプロファイルに対し行われるべき提案変更を含むプロファイル更新メッセージを作成する。メッセージは無線ネットワーク１２０を介しモバイル装置１１０に送信され、提案変更は表示されてユーザに示される。提案変更の技術的な詳細は選択的に省略され、ユーザには、単に、変更の本質及び／又は変更の効果がアドバイスされてもよい。ユーザが変更の受諾を選択すると、メッセージは、ＷＡＰゲートウェイに返信され、ユーザのプロファイルは、ＷＡＰゲートウェイにおいて、モバイル装置１００及び／又はユーザに関連付けられるプロファイルデータベース１４０の記録内で更新される。ユーザが変更の受諾を選択しなければ、メッセージは放棄され、変更は行われない。
【００１４】
図３は、本発明のもう１つの面によるプロファイル更新システムが組込まれるモバイル通信システムを示す概略図である。
【００１５】
プロファイルが多数のサイトに振り分けられる場合、更新が受諾されると、ＷＡＰゲートウェイ１３０によってプロファイルの適当な部分が決定され、適用するために更新が与えられるか又は送信される。
【００１６】
このモバイル通信システムは、無線ネットワーク１２０と通信する携帯情報端末（ＰＤＡ）２００の形式であるユーザコンピュータを含む。更新制御コンピュータとして機能するＷＡＰゲートウェイ１３０も無線ネットワーク１２０と通信する。ＷＡＰゲートウェイ１３０は更に、インターネット２２０を介し多数のウェブサイト２１０と通信可能であり、ウェブサイト２１０は、夫々のウェブサーバ２３０によって管理される。ＰＤＡは、ウェブサイト２１０に登録され、その結果、プロファイルは、各ウェブサーバ２３０のデータベース２５０内に格納される。
【００１７】
ＷＡＰゲートウェイ１３０は、各ウェブサーバ２３０によって保持されるユーザ及び／又はＰＤＡ装置のプロファイルの全体のデータベース２６０を管理する。ＷＡＰサーバによって更新が行われるべきであると判断され、その更新がユーザによって受諾されると、ＷＡＰサーバ１３０は、夫々のウェブサーバ２３０と通信し、データベース２５０内のユーザ及び／又はＰＤＡのプロファイルを更新するよう構成される。
【００１８】
本発明の上述される実施例は、ユーザのコンピュータによって保持されるか又はユーザコンピュータのために保持されるプロファイルに係り、プロファイルは、受信データをカスタマイズするために使用され、それにより、受信データが適当に表示され、ユーザによって処理されることが可能となる。しかし、プロファイルは、クッキー（ｃｏｏｋｉｅ）としてユーザのコンピュータにおいて、且つ、遠隔システムにおいて作成且つ記憶され、それにより、ユーザに関するデータ及びメタデータが記憶されることを可能にする。これらのプロファイルによって、ユーザインタフェースをパーソナライズし、共通の興味を有するユーザに特定の情報が向けられるか、又はシステムがユーザ及びユーザの要求について知ることが可能となり、それにより、将来に必要となるであろう情報を予測し、その情報が利用可能になった場合にそれを提供することを可能にする。このようなプロファイルは、インターネット検索エンジン、定期配信サービス等において広く使用されている。本発明はこれらのタイプのプロファイルにも同様に適用可能である。プロファイルがユーザのコンピュータに記憶される場合、プロファイルは、図１を参照しながら説明した方法と同様の方法で変更されることが可能である。プロファイルがインターネット検索エンジンのＷＷＷサーバといった遠隔コンピュータに記憶される場合、プロファイルは、図２を参照しながら説明した方法と同様の方法で変更することが可能である。
【図面の簡単な説明】
【図１】本発明の１つの面によるプロファイル更新システムが組込まれるモバイル通信システムを示す概略図である。
【図２】本発明のもう１つの面によるプロファイル更新システムが組込まれるモバイル通信システムを示す概略図である。
【図３】本発明のもう１つの面によるプロファイル更新システムが組込まれるモバイル通信システムを示す概略図である。
【図１】
2004503861.tif 000003
【図２】
2004503861.tif 000004
【国際公開パンフレット】
2004503861.tif 000005
2004503861.tif 000006
2004503861.tif 000007
2004503861.tif 000008
2004503861.tif 000009
2004503861.tif 000010
2004503861.tif 000011
2004503861.tif 000012
2004503861.tif 000013
2004503861.tif 000014
2004503861.tif 000015
2004503861.tif 000016
2004503861.tif 000017